(57)【要約】      （修正有）【課題】相手コネクタと安定に接続可能なＵＳＢコネクタを提供する。【解決手段】本コネクタは、絶縁性本体１と、該絶縁性本体に固着される複数の導電端子２と、光信号を転送するための光部材とを備える。前記絶縁性本体は、第１表面から凹んだ収納溝１４１と、前記第１表面から凹んで前後方向に沿って延在する複数の保持溝１４３とを含む。前記光部材は、前記収納溝に移動可能な基部３０と、該基部に挿入されて複数のファイバー３５とを有する。前記基部は前記ファイバーと接続するレンズ３２を有する。前記ファイバーは前記保持溝に保持される中間部３５２とを有する。【選択図】図４
0003164646.tif 000002
【実用新案登録請求の範囲】
【請求項１】
第１表面を有し、前記第１表面から凹んだ収納溝と、前記第１表面から凹んで前後方向に沿って延在する複数の保持溝と、を含む絶縁性本体と、
前記絶縁性本体に固着される複数の導電端子と、
前記収納溝に対して移動可能な基部と、前記基部に挿入される複数のファイバーとを含んで、光信号を転送するための光部材と、を備え、
前記基部が前記ファイバーと接続するレンズを有し、前記ファイバーが前記保持溝に保持される中間部を有することを特徴とするコネクタ。
【請求項２】
前記保持溝が前記収納溝と連通し、前記光部材のファイバーが、前記基部の移動に伴って前記保持溝に前後方向に沿って移動することを特徴とする請求項１に記載のコネクタ。
【請求項３】
各保持溝は、その寸法が一つの前記ファイバーの中間部の寸法と対応するようになっており、一つのファイバーの中間部だけを保持することを特徴とする請求項２に記載のコネクタ。
【請求項４】
各保持溝は、平台部と、前記平台部を囲む一対の第１凹溝とを有し、前記各ファイバーの中間部が連接部を有し、二つの前記ファイバーの連接部が、前記平台部を囲んで前記一対の第１凹溝に固定されることを特徴とする請求項２に記載のコネクタ。
【請求項５】
前記各保持溝は、前記一対の第１凹溝と連通する第２、第３凹溝が形成され、前記各ファイバの中間部が延在部と折曲部とを有し、前記連接部が前記延在部と折曲部との間に設けられ、一対のファイバーの一対の延在部が、一つの前記第３凹溝に延在し、一対のファイバーの一対の折曲部が、一つの前記第２凹溝に延在することを特徴とする請求項４に記載のコネクタ。
【請求項６】
前記絶縁性本体の第１表面には、前記第１表面から凹んだ凹所が形成され、前記凹所の上下方向においての深さが、前記収納溝の深さより小さく、前記コネクタが前記凹所に嵌入されて前記ファイバーの底部に被覆する蓋板を有することを特徴とする請求項１に記載のコネクタ。
【請求項７】
前記絶縁性本体には前記収納溝に向かって延在する延在柱が設けられ、前記光部材の基部には凸柱が設けられ、前記コネクタは、後端が前記延在柱に装着され、前端が前記凸柱に装着されるバネ体を有することを特徴とする請求項６に記載のコネクタ。
【請求項８】
前記絶縁性本体には、固定溝が形成され、前記延在柱が前記固定溝に設けられ、前記バネ体の後端が固定溝に保持され、前記収納溝と蓋板にはそれぞれ凹口が形成され、前記ばね体の前端が前記凹口によって位置調節し、前記光部材の基部が前記バネ体の運動に伴って位置調節されることを特徴とする請求項７に記載のコネクタ。
【考案の詳細な説明】
【技術分野】
【０００１】
本考案は、コネクタに関し、特に、位置調節可能な光部材を有し、ＵＳＢ（Ｕｎｉｖｅｒｓａｌ  Ｓｅｒｉａｌ  Ｂｕｓ）規格に準拠したコネクタに関するものである。
【背景技術】
【０００２】
従来技術のＵＳＢコネクタは、絶縁性本体と、絶縁性本体に固着される導電端子と、光信号を転送するための光部材と、絶縁性本体を遮蔽するハウジングとを備える。絶縁性本体は、本体部と、本体部から突出する舌板とを備える。前記絶縁性本体には、収納溝が形成される。前記光部材は、前記収納溝に移動する。相手コネクタと電気接続する時、前記ＵＳＢコネクタが前記収納溝に後向きに移動する。相手コネクタが電気接続しない時、前記ＵＳＢコネクタが前記収納溝に前向きに回復する。
【先行技術文献】
【特許文献】
【０００３】
【特許文献１】中国実用新案第２０１４３８２２５Ｙ号明細書
【考案の概要】
【考案が解決しようとする課題】
【０００４】
前記光部材が前記収納溝に移動する時、横方向に沿った移動が発生し易い。これにより、相手コネクタと安定に接続することを確保できない。
【０００５】
そこで本考案は、上述される従来技術の問題に鑑み、相手コネクタと安定して接続可能なＵＳＢコネクタを提供することを目的とする。
【課題を解決するための手段】
【０００６】
前記目的を達成するために、本考案のコネクタは、絶縁性本体と、前記絶縁性本体に固着される複数の導電端子と、光信号を転送するための光部材とを備える。前記絶縁性本体は、第１表面から凹んだ収納溝と、前記第１表面から凹んで前後方向に沿って延在する複数の保持溝と、を含む。前記光部材は、前記収納溝に移動可能な基部と、前記基部に挿入されて複数のファイバーとを有する。前記基部は前記ファイバーと接続するレンズを有する。前記ファイバーは前記保持溝に保持される中間部を有する。
【考案の効果】
【０００７】
従来技術と比べると、本考案は以下の長所を有する。本考案のコネクタの光部材のファイバーが保持溝に保持される。光部材の基部が位置調節する時、保持溝によって、ファイバーが前後方向だけに移動することを確保できる。従って、ファイバーによって、基部の過度の運動が阻止される。これにより、光部材が精確な位置まで到着し、相手コネクタと安定に接続できる。
【図面の簡単な説明】
【０００８】
【図１】本考案の第１実施形態のコネクタの組立斜視図である。
【図２】図１に示すケーブルを含みないコネクタの部分の分解斜視図である。
【図３】図２に示すケーブルを含みないコネクタの別の角度から見た部分の分解斜視図である。
【図４】図２に示す蓋板が絶縁性本体に取る付けられない時の斜視図である。
【図５】図１に示すケーブルとハウジングとを含みないコネクタの分解斜視図である。
【図６】別の角度から見た図５の分解斜視図である。
【図７】第２実施形態のコネクタの蓋板が絶縁性本体に取る付けない時の斜視図である。
【図８】図７に示すケーブルとハウジングとを含みないコネクタの分解斜視図である。
【図９】別の角度から見た図８の分解斜視図である。
【考案を実施するための形態】
【０００９】
図１〜図６を参照すると、本考案の第１実施形態のコネクタ１００は、絶縁性本体１と、蓋板１０と、複数の導電端子２と、絶縁性本体１に装着される光部材３と、絶縁性本体１と光部材３との間に装着されるバネ体４と、前記絶縁性本体１に固着されるベース５と、前記ベース５に装着される固定部材６と、前記絶縁性本体１を遮蔽するハウジング７と、前記ハウジング７を被覆する絶縁性部材８と、前記導電端子２と光部材３と連接するケーブル９とを備える。
【００１０】
図２〜図６に示すように、絶縁性本体１は、上表面１１と下表面１２とを有する。絶縁性本体１は、主体部１３と、主体部１３から前向きに突出する舌板１４とを備える。主体部１３の上表面１１には、前記ベース５に対応する収納スペース１３２が形成される。舌板１４の上表面１１には、複数の端子溝１４８が形成される。
【００１１】
主体部１３の下表面１２には、複数の端子溝１３１が形成される。舌板１４の下表面１２には、収納溝１４１が形成される。前記収納溝１４１の後には、前記収納溝１４１と貫通する固定溝１４２が形成される。前記固定溝１４２には、前記収納溝１４１に向かって延在する延在柱１４２１が形成される。前記絶縁性本体１の下表面１２には、前後に沿って延在して前記収納溝１４１と貫通する複数の保持溝１４３が形成される。前記舌板１４の収納溝１４１の後には、凹口１４９が形成される。絶縁性本体１の前記収納溝１４１の後には、下表面１２から凹んで、前記蓋板１０を収納するための凹所１４４が形成される。前記凹所１４４の上下方向においての深さは、前記収納溝１４１の深さより小さい。前記凹所１４４の両側には、一対の係合孔１４４１が形成される。収納溝１４１には、一対の凸状部片１４７と、前記一対の凸状部片１４７の間に係止部１４５とが設けられる。
【００１２】
前記蓋板１０には、上向きに突出する一対の固持柱１０１と、前辺から凹んだ凹口１０２と有する。
【００１３】
前記導電端子２は、四つの第１端子２１と五つの第２端子２２とを備える。各第１端子２１は、第１接触部２１１と、第１尾部２１２とを有する。各第２端子２２は、第２接触部２２１と、第２固定部２２２と、第２尾部２２３とを有する。
【００１４】
光部材３は、基部３０と、基部３０に取り付けられる複数のファイバー３５とを備える。前記基部３０には、前記係止部１４５と対応する係止孔３１と、係止孔３１の両側に設けられる一対のレンズ３２と、一対の対応孔３４とを有する。基部３０の後端には、後向きに突出する凸柱３６が設けられる。
【００１５】
各ファイバー３５には、光部材３の接続孔３３に挿入される接続部３５１と、保持溝１４３に保持される中間部３５２と、前記ケーブル９と電気接続する尾部３５３とを備える。
【００１６】
ハウジング７は、上ハウジング７１と、下ハウジング７２とを有する。上ハウジング７１は、底壁７１１と、頂壁７１２と、一対の側壁７１３とを有する。底壁７１１の前端には光部材３の下部に当接する複数の凸状部片７５が設けられる。
【００１７】
コネクタ１００を組み立てる時、先ず、四つの第１端子２１が絶縁性本体１にインサートモールドによって成型される。第１端子２１の第１尾部２１２が、絶縁性本体１の端子溝１３１に挿入される。五つの第２端子２２は、ベース５の端子孔５１に挿入される。ベース５が絶縁性本体１の収納スペース１３２に装入される。第２端子２２の第２接触部２２１が、絶縁性本体１の端子溝１４８に装入される。固定部材６はベース５に固着される。
【００１８】
前記光部材３は、絶縁性本体１の収納溝１４１に収納される。光部材３の複数のファイバー３５の接続部３５１は、それぞれ前記レンズ３２と接続し、高速光信号を転送することを実現する。基部３０の係止孔３１は、絶縁性本体１の係止部１４５と係合する。各保持溝１４３の寸法が一つの前記ファイバー３５の中間部３５２の寸法と対応する。各保持溝１４３には、一つのファイバー３５の中間部３５２だけを保持する。光部材３のファイバー３５の中間部３５２は保持溝１４３に保持され、横方向においての運動が阻止される。
【００１９】
前記バネ体４は、後端が固定溝１４２に保持されて延在柱１４２１に装着され、前端が光部材３の凸柱３６に装着される。前記蓋板１０が前記凹所１４４に収納され、ファイバー３５の底部に被覆する。前記蓋板１０の一対の固持柱１０１は前記係合溝１４４１と係合する。前記延在柱１４２１に装着されるバネ体４は、絶縁性本体１の凹口１４９と蓋板１０の凹口１０２によって上下方向において運動できる。ハウジング７は、絶縁性本体１に遮蔽する。
【００２０】
コネクタ１００が相手コネクタと接続する時、コネクタ１００の光部材３の対応孔３４は相手コネクタの柱状部と対応する。対応孔３４の寸法が相手コネクタの柱状部と対応しない時、光部材３の基部３０は、バネ体４によって前後方向沿って移動し、位置調節する。即ち、基部３０が後向きに移動する時、バネ体４の後端が延在柱１４２１に固着され、前端が凹口１４９，１０２によって、上下方向に沿って移動する。同時に、ファイバー３５が保持溝１４３に保持されることによって、ファイバー３５の上下方向或いは横方向における運動を防止する。従って、ファイバー３５によって、基部３０が制御され、過度の運動が阻止される。これにより、光部材３が精確な位置まで到着する。
【００２１】
相手コネクタを抜き出す時、基部３０がバネ体４によって前向きに移動する。係止部１４５が係止溝３１に係合する。係止部１４５によって、光部材３が収納溝１４１から離れることを防止できるとともに、光部材３が位置決めされる。基部３０が上ハウジング７の凸状部片７５と絶縁性本体１の凸状部片１４７に当接する。
【００２２】
図７〜図９において、第２実施形態にいてのコネクタ１００’は、絶縁性本体１’と、蓋板１０’と、複数の導電端子２’と、絶縁性本体１’に装着される光部材３’と、絶縁性本体１’と光部材３’との間に装着されるバネ体４’と、前記絶縁性本体１’に固着されるベース５’と、前記ベース５’に装着される固定部材６’と、前記絶縁性本体１’を遮蔽するハウジングと、ケーブルとを備える。
【００２３】
絶縁性本体１’は、上表面１１’と下表面１２’とを有する。絶縁性本体１’は、主体部１３’と、主体部１３’から前向きに突出する舌板１４’とを備える。主体部１３’の上表面１１’には、前記ベース５’に対応する収納スペース１３２’が形成される。舌板１４’の上表面１１’には、複数の端子溝１４８’が形成される。
【００２４】
主体部１３’の下表面１２’には、複数の端子溝１３１’が形成される。舌板１４’の下表面１２’には、収納溝１４１’が形成される。前記収納溝１４１’の後には、前記収納溝１４１’と貫通する固定溝１４２’が形成される。前記固定溝１４２’には、前記収納溝１４１’に向かって延在する延在柱１４２１’が形成される。前記絶縁性本体１’の下表面１２’には、前後に沿って延在して前記収納溝１４１’と貫通する複数の保持溝１４３’が形成される。各保持溝１４３’は、平台部１４３０’と、平台部１４３０’を囲む一対の第１凹溝１４３１’と、前記一対の第１凹溝１４３１’と連通する第２凹溝１４３２’と、前記一対の第１凹溝１４３１’と連通する第３凹溝１４３３’とを有する。第１凹溝１４３１’は、第２、第３凹溝１４３２’，１４３３’の間に位置する。前記舌板１４’の収納溝１４１’の後には、凹口１４９’が形成される。絶縁性本体１’の前記収納溝１４１’の後には、下表面１２’から凹んで、前記蓋板１０’を収納するための凹所１４４’が形成される。前記凹所１４４’の上下方向においての深さは、前記収納溝１４１’の深さより小さい。前記凹所１４４’の両側には、一対の係合孔１４４１’が形成される。収納溝１４１’には、一対の凸状部片１４７’と、前記一対の凸状部片１４７’の間に係止部１４５’とが設けられる。
【００２５】
前記蓋板１０’には、上向きに突出する一対の固持柱１０１’と、前辺から凹んだ凹口１０２’と有する。
【００２６】
前記導電端子２’は、四つの第１端子２１’と五つの第２端子２２’とを備える。各第１端子２１’は、第１接触部２１１’と、第１尾部２１２’とを有する。各第２端子２２’は、第２接触部２２１’と、第２固定部２２２’と、第２尾部２２３’とを有する。
【００２７】
光部材３’は、基部３０’と、基部３０’に取り付けられる複数のファイバー３５’とを備える。前記基部３０’には、前記係止部１４５’と対応する係止孔３１’と、係止孔３１’の両側に設けられる一対のレンズ３２’と、一対の対応孔３４’とを有する。基部３０’の後端には、後向きに突出する凸柱３６’が設けられる。
【００２８】
各ファイバー３５’には、光部材３’の接続孔３３’に挿入される接続部３５１’と、保持溝１４３’に保持される中間部３５２’と、前記ケーブルと電気接続する尾部３５４’とを有する。前記中間部３５２’は、延在部３５２１’と、折曲部３５２３’と、前記延在部３５２１’と折曲部３５２３’との間に設けられる連接部３５２２’と、を備える。一対のファイバー３５’の一対の延在部３５２１’は、一つの第３凹溝１４３３’内に延在する。一対のファイバー３５’の一対の連接部３５２２’は、平台部１４３０’に囲んで、一対の第１凹溝１４３１’に固持される。一対のファイバー３５’の一対の折曲部３５２３’は、一つの第２凹溝１４３２’内に延在する。
【００２９】
コネクタを組み立てる時、先ず、四つの第１端子２１’が絶縁性本体１にインサートモールドによって成型される。第１端子２１’の第１尾部２１２’が、絶縁性本体１’の端子溝１３１’に挿入される。五つの第２端子２２’は、ベース５’の端子孔５１’に挿入される。ベース５’が絶縁性本体１’の収納スペース１３２’に装入される。第２端子２２’の第２接触部２２１’が、絶縁性本体１’の端子溝１４８’に装入される。固定部材６’はベース５’に固着される。
【００３０】
前記光部材３’は、絶縁性本体１’の収納溝１４１’に収納される。光部材３’の複数のファイバー３５’の接続部３５１’は、それぞれ前記レンズ３３’と接続し、高速光信号を転送することを実現する。基部３０’の係止孔３１’は、絶縁性本体１’の係止部１４５’と係合する。光部材３’のファイバー３５’の中間部３５２’が保持溝１４３’に保持され、横方向においての運動が阻止される。前記バネ体４’は、後端が固定溝１４２’の延在柱１４２１’に装着され、前端が光部材３’の凸柱３６’に装着される。前記蓋板１０’が前記凹所１４４’に収納される。前記蓋板１０’の一対の固持柱１０１’は前記係合溝１４４１’と係合する。前記延在柱１４２１’に装着されるバネ体４’は、絶縁性本体１’の凹口１４９’と蓋板１０’の凹口１０２’によって上下方向において運動できる。
【００３１】
コネクタが相手コネクタと接続する時、光部材３’の対応孔３４’は相手コネクタの柱状部と対応する。対応孔３４’の寸法が相手コネクタの柱状部と対応しない時、光部材３’の基部３０’は、バネ体４’によって前後方向沿って移動し、位置調節する。即ち、基部３０’が後向きに移動する時、バネ体４’の後端が延在柱１４２１’に固着され、前端が凹口１４９’，１０２’によって、上下方向に沿って移動する。同時に、ファイバー３５’が保持溝１４３’に保持されることによって、ファイバー３５’の上下方向或いは横方向においての運動を防止する。従って、ファイバー３５’によって、基部３０’が制御され、過度の運動が阻止される。これにより、光部材３’が精確な位置まで到着する。
【００３２】
相手コネクタが抜き出す時、基部３０’がバネ体４’によって前向きに移動する。係止部１４５’が係止溝３１’に係合する。係止部１４５’によって、光部材３’が収納溝１４１’から離れることを防止できるとともに、光部材３’が位置決めされる。
【００３３】
以上、本考案について好ましい実施形態を参照して詳細に説明したが、実施形態はあくまでも例示的なものであり、これらに限定されるものではない。また上述の説明は、本考案に基づき成し得る細部の修正或いは変更などは、いずれも本考案の技術的範囲に属するものである。
【符号の説明】
【００３４】
１００  コネクタ
１  絶縁性本体
１０  蓋板
１０１  固持柱
１０２  凹口
１１  上表面
１２  下表面
１３  主体部
１３１  端子溝
１３２  収納スペース
１４  舌板
１４１  収納溝
１４２  固定溝
１４２１  延在柱
１４３  保持溝
１４４  凹所
１４４１  係合溝
１４５  係止部
１４７  凸状部片
１４８  端子溝
１４９  凹口
２  導電端子
２１  第１端子
２１１  第１接触部
２１２  第１尾部
２２  第２端子
２２１  第２接触部
２２２  第２固定部
２２３  第２尾部
３  光部材
３０  基部
３１  係止孔
３２  レンズ
３３  接続孔
３４  対応孔
３５  光ファイバー
３５１  接続部
３５２  中間部
３５３  尾部
３６  凸柱
４  バネ体
５  ベース
５１  端子孔
６  固定部材
７  ハウジング
７１  上ハウジング
７１１  底壁
７１２  頂壁
７１３  側壁
７２  下ハウジング
７５  凸状部片
８  絶縁性部材
９  ケーブル
１’  絶縁性本体
１０’  蓋板
１０１’  固持柱
１０２’  凹口
１２’  下表面
１３’  主体部
１３１’  端子溝
１３２’  収納スペース
１４’  舌板
１４１’  収納溝
１４２’  固定溝
１４２１’  延在柱
１４３’  保持溝
１４３０’  平台部
１４３１’第１凹溝
１４３２’第２凹溝
１４３３’  第３凹溝
１４４’  凹所
１４４１’  係合溝
１４５’  係止部
１４７’  凸状部片
１４８’  端子溝
１４９’  凹口
２１’  第１端子
２１１’  第１接触部
２２’  第２端子
２２１’  第２接触部
２２２’  第２固定部
２２３’  第２尾部
３’  光部材
３０’  基部
３１’  係止孔
３２’  レンズ
３３’  接続孔
３４’  対応孔
３５’  光ファイバー
３５１’  接続部
３５２’  中間部
３５２１’  延在部
３５２２’  連接部
３５２３’  折曲部
３５４’  尾部
３６’  凸柱
４’  バネ体
５’  ベース
５１’  端子孔
６’  固定部材
【図１】
0003164646.tif 000003
【図２】
0003164646.tif 000004
【図３】
0003164646.tif 000005
【図４】
0003164646.tif 000006
【図５】
0003164646.tif 000007
【図６】
0003164646.tif 000008
【図７】
0003164646.tif 000009
【図８】
0003164646.tif 000010
【図９】
0003164646.tif 000011